(57)【要約】【課題】  エレベーターの制御装置における制御マイコンの異常監視のための構成を簡易化すること。【解決手段】  エレベーターの運転中、異常検出回路からの信号により制御マイコンがエレベーターの昇降動作の異常を認識し、電気安全回路を介して電動機およびブレーキを作動停止させるエレベーターの制御装置において、前記エレベーターが正常動作を行っているとき所定時間間隔のパルス信号を出力する制御マイコン１と、前記パルス信号の時間間隔を測定することにより、前記制御マイコンの異常有無を検出してその検出結果を前記電気安全回路に出力するタイマーリレー回路５と、をそなえたことを特徴とするエレベーターの制御装置。【選択図】  図１
2005104596.tif 000002
【特許請求の範囲】
【請求項１】
エレベーターの運転中、異常検出回路からの信号により制御マイコンがエレベーターの昇降動作の異常を認識し、電気安全回路を介して電動機およびブレーキを作動停止させるエレベーターの制御装置において、
前記エレベーターが正常動作を行っているとき所定時間間隔のパルス信号を出力する制御マイコンと、
前記パルス信号の時間間隔を測定することにより、前記制御マイコンの異常有無を検出してその検出結果を前記電気安全回路に出力するタイマーリレー回路と、
をそなえたことを特徴とするエレベーターの制御装置。
【請求項２】
請求項１記載のエレベーターの制御装置において、
前記制御マイコンは、前記電気安全回路の出力を監視し、前記パルス信号が与えられなくなったとき前記タイマーリレー回路が前記電気安全回路に与えていた出力を停止することにより該電気安全回路の動作停止を確認し、次いで前記パルス信号を出力して前記タイマーリレー回路を動作させることにより該タイマーリレー回路の動作確認を行うエレベーターの制御装置。
【請求項３】
請求項２記載のエレベーターの制御装置において、
前記制御マイコンは、前記タイマーリレー回路の動作確認をエレベーターの１走行毎に行うエレベーターの制御装置。
【請求項４】
請求項２記載のエレベーターの制御装置において、
前記制御マイコンは、前記タイマーリレー回路の動作確認を所定時間毎に行うエレベーターの制御装置。
【発明の詳細な説明】
【技術分野】
【０００１】
本発明は、エレベーターの制御装置に係り、とくに内部に設けられた制御マイコンおよび各回路要素の動作確認を行う装置に関する。
【背景技術】
【０００２】
制御マイコンを用いてエレベーターの運行制御を行うエレベーターの制御装置は、図３に示すような構成となっている。すなわち、制御マイコン１には、異常検出回路１０から検出信号が与えられており、エレベーターの運行動作に異常があれば直ちに電気安全回路４を介してインバーター回路２およびブレーキ回路３への給電を遮断し、エレベーターを停止させる。
【０００３】
他方、制御回路の中心的存在である制御マイコン１に異常が発生したときは、制御マイコン１を監視しているマイコン異常監視装置６が電気安全回路４に指令を与えてインバーター回路２およびブレーキ回路３への給電を遮断し、エレベーターを停止させる。
【発明の開示】
【発明が解決しようとする課題】
【０００４】
上記のように、制御マイコンを用いたエレベーター制御を円滑に行うには、制御マイコンを監視するマイコン異常監視装置を設ける必要がある。エレベーターの制御装置を、小型化およびコスト削減の観点から見てさらに改善し得る点が求められている。
【０００５】
本発明は上述の点を考慮してなされたもので、エレベーターの制御装置における制御マイコンの異常監視のための構成を簡易化することを目的とする。
【課題を解決するための手段】
【０００６】
上記目的達成のため、本発明では、
エレベーターの運転中、異常検出回路からの信号により制御マイコンがエレベーターの昇降動作の異常を認識し、電気安全回路を介して電動機およびブレーキを作動停止させるエレベーターの制御装置において、前記エレベーターが正常動作を行っているとき所定時間間隔のパルス信号を出力する制御マイコンと、前記パルス信号の時間間隔を測定することにより、前記制御マイコンの異常有無を検出してその検出結果を前記電気安全回路に出力するタイマーリレー回路と、  をそなえたことを特徴とするエレベーターの制御装置、
を提供するものである。
【発明の効果】
【０００７】
本発明は上述のように、制御マイコンのパルス出力をタイマーリレー回路に与え、タイマーリレー回路が制御マイコンの出力異常を検出するようにしたため、特別な装置を必要とすることなく、制御マイコンの異常監視を行うことができる。このため、エレベーターの制御装置の小型化、低コスト化を図ることができる。
【発明を実施するための最良の形態】
【０００８】
実施例１
図１は、本発明の一実施例の構成を示すブロック線図である。この実施例では、マイコン異常監視装置６(図３参照)が設けられておらず、制御マイコン１と電気安全回路４との間にタイマーリレー回路５が接続されている。そして、電気安全回路４は制御マイコン１に接続されている。他は、図３に示した構成と同様である。
【０００９】
なお、図１に想像線で示したように、タイマーリレー回路５の出力が制御マイコン１に与えられるように接続されてもよい。制御マイコン１および電気安全回路４とインバーター回路２およびブレーキ回路３との接続関係は、図３に示した制御装置と同様である。
【００１０】
(タイマーリレー回路５による制御マイコン１の異常監視)
制御マイコン１は、異常検出回路１０からの信号に基づき、エレベーターが正常運転していると判断するとき、所定時間間隔のパルス信号を出力し、タイマーリレー回路５に与える。タイマーリレー回路５は、制御マイコン１からパルス信号が与えられているとき、電気安全回路４に電気安全回路接続指令(以下、単に指令信号という)を与える。電気安全回路４は、インバーター回路２およびブレーキ回路３に対し動作電力を供給して制御マイコン１が運転制御し得る状態にする。
【００１１】
エレベーターが異常な状態になったとき、制御マイコン１はタイマーリレー回路５へのパルス信号の出力を停止する。タイマーリレー回路５は、制御マイコン１から所定時間内にパルス信号が与えられないと、電気安全回路４への指令信号の出力を停止する。これにより、電気安全回路４は、インバーター回路２およびブレーキ回路３に対する動作電力の供給を遮断して、エレベーターの駆動電動機を停止、制動する。
【００１２】
図２(a)，(b)は、制御マイコン１がタイマーリレー回路５に対して出力する安全制御指令としてのパルス信号(図２(a))と、タイマーリレー回路５が電気安全回路４に対して出力する安全制御指令としての信号(図２(b))と、タイマーリレー回路５が電気安全回路４に対して出力する電気安全回路接続信号の変化のタイミングを示している。
【００１３】
制御マイコン１は、制御マイコン１自体が正常でありエレベーターが正常運転を行っているときは、所定時間間隔のパルス信号を出力し続ける。そして、エレベーターの運転状態が異常になるか、あるいは制御マイコン１自体の動作が異常になるとパルス信号の出力を停止する。
【００１４】
いま制御マイコン１が異常な動作をしているか停止しているとすると、制御マイコン１はパルス信号の出力を停止する。したがって、タイマーリレー回路５は、最後のパルス信号の立ち上がりタイミングから所定時間内に次のパルス信号の立ち上がりがないため、直ちに制御マイコン１に異常が発生したことを検出する。
【００１５】
この検出により、タイマーリレー回路５は、電気安全回路４に指令信号を与えることを停止し、その結果、電気安全回路４がインバーター回路２およびブレーキ回路３への給電を遮断してエレベーターの駆動電動機を制動する。
【００１６】
このように、タイマーリレー回路５が制御マイコン１と電気安全回路４との間に配されて制御マイコン１が電気安全回路４の動作を監視することにより、電気安全回路４の制御と制御マイコン１の異常監視とを併せて行うことができる。
【００１７】
上記説明では、制御マイコン１は電気安全回路４の動作状態を監視することとしているが、図１に想像線で示した接続によりタイマーリレー回路５の出力をも監視するようにしてもよい。これにより、制御マイコン１の異常によるタイマーリレー回路５の動作監視を、電気安全回路４の動作を通してでなく、直接監視することができる。
【００１８】
(制御マイコン１によるタイマーリレー回路５の異常監視−１走行毎の監視)
制御マイコン１は、エレベーターの１回の走行が終って停止するとき、インバーター回路２がエレベーターの駆動電動機への給電を遮断して駆動停止し、ブレーキ回路３がブレーキコイルへの通電を停止してバネ力によりエレベーターの駆動電動機を制動するように制御を行う。
【００１９】
エレベーターの停止動作が完了したとき、制御マイコン１はタイマーリレー回路５に対するパルス信号の出力を停止し、電気安全回路４を遮断する。この時,制御マイコン１は、電気安全回路４の状態信号によって電気安全回路４が遮断されていることを確認する。
【００２０】
電気安全回路４が遮断されていることを検知したときは、次にエレベーターが走行開始するときに、制御マイコン１がタイマーリレー回路５に対してパルス信号の出力を再開する。したがって、タイマーリレー回路５は電気安全回路４に対して指令信号を出力する。
【００２１】
一方、電気安全回路４が遮断されていないことが検知された場合は、電気安全回路４に関するシステムが正常に動作しないと認定し、以後、エレベーターの走行制御を禁止する。
【００２２】
(制御マイコン１によるタイマーリレー回路５の異常監視−所定時間毎の監視)
制御マイコン１によるタイマーリレー回路５の監視は、エレベーターが１走行する毎に行う以外に、所定時間毎に行ってもよい。
【００２３】
すなわち、エレベーターの１走行が終了した後、所定時間内に次の走行が開始しなかった場合、電気安全回路４を遮断してタイマーリレー回路５の異常監視を行う。これにより、電気安全回路４の遮断回数を減らして回路要素の寿命を延ばす。この結果、回路要素の不具合によって電気安全回路４の遮断状態からエレベーターの走行開始までのスタート遅れが発生することを極力少なくすることができる。
【００２４】
他の構成例
上記実施例では、電気安全回路がインバーター回路およびブレーキ回路の給電を遮断することとしているが、これをインバーター回路から駆動電動機への出力を停止し、ブレーキ回路からブレーキコイルへの給電を停止するように構成してもよい。
【図面の簡単な説明】
【００２５】
【図１】本発明の一実施例の構成を示す説明図。
【図２】図１の実施例におけるタイマーリレー回路の動作を説明するためのタイミングチャート。
【図３】従来のエレベーター制御装置の構成を示すブロック線図。
【符号の説明】
【００２６】
１  制御マイコン
２  インバーター回路
３  ブレーキ回路
４  電気安全回路
５  タイマーリレー回路
６  マイコン異常監視装置
１０  異常検出回路
【図１】
2005104596.tif 000003
【図２】
2005104596.tif 000004
【図３】
2005104596.tif 000005
【手続補正書】
【提出日】平成15年10月22日(2003.10.22)
【手続補正１】
【補正対象書類名】図面
【補正対象項目名】全図
【補正方法】変更
【補正の内容】
【図１】
2005104596.tif 000006
【図２】
2005104596.tif 000007
【図３】
2005104596.tif 000008